(57)【要約】      （修正有）【課題】一般家屋の屋根等の洗浄廃水あるいは自然雨水中の放射性物質等を捕集する捕集除去具を提供する。【解決手段】自然雨水・洗浄廃水を排水案内させる排水管路Ｐの任意箇所で、自然雨水・洗浄廃水を通水させる袋状の捕集ネット体１０を、この捕集ネット体１０の開口部を挟み込んで排水管路Ｐの開口部に嵌め入れられる内嵌部２と、この内嵌部２に比し大径に形成されて、段部３を介して内嵌部２と一体となっている規制部４とから成っている装着管体１によって排水管路Ｐに配置する。上記の構造により、捕集ネット体１０の中に自然雨水・洗浄廃水中のセシウム等の放射性物質が捕集される。捕集ネット体１０は、上流側の排水管路Ｐに上下方向でスライドして当接する筒状の上部連結手段１６、下流側の排水管路Ｐに嵌り込む筒状の下部連結手段１７を備えたカバー体１５で覆う。【選択図】図２
0003177123.tif 000002
【実用新案登録請求の範囲】
【請求項１】
自然雨水・洗浄廃水を排水案内させる排水管路の任意箇所で、自然雨水・洗浄廃水を通水させる袋状の捕集ネット体を、この捕集ネット体の開口部を挟み込んで排水管路の開口部に嵌め入れられる内嵌部と、この内嵌部に比し大径に形成されて、段部を介して内嵌部と一体となっている規制部とから成っている装着管体によって排水管路に配置し、捕集ネット体によって自然雨水・洗浄廃水中のセシウム等の放射性物質を捕集するようにしてあることを特徴とする廃水用放射性物質の捕集除去具。
【請求項２】
捕集ネット体は、カバー体によって覆われていて、カバー体は、上部開口部には上流側の排水管路の下端開口部に、下部開口部には下流側の排水管路の上端開口部にそれぞれ連結させる上下部の連結手段を有し、上部連結手段は、上流側の排水管路の下端開口部の外側面に、この下端開口部における上下方向でスライドして当接する内側面を有する筒状に形成されており、下部連結手段は、下流側の排水管路の上端開口部の内側面に外側面が当接して嵌り込むようにした筒状に形成されている請求項１に記載の廃水用放射性物質の捕集除去具。
【請求項３】
自然雨水・洗浄廃水を排水案内させるよう鉛直方向に沿っている排水管路の末端開口部で袋状の捕集ネット体を支持する廃水用放射性物質の捕集除去具であって、捕集ネット体を着脱自在に連結する連結部を下部に有し、排水管路の末部の開口部を下方から覆うように、開口部に至るに伴い次第に大径となるラッパ状の連結覆い部を上部に有するカバー連結体と、このカバー連結体を設置面上に立脚支持させる支持台とから成ることを特徴とする廃水用放射性物質の捕集除去具。
【請求項４】
カバー連結体の連結部は、内装した捕集ネット体の開口部の折り返し部を支持することで捕集ネット体を支持している装着管体の内嵌部を、捕集ネット体の折り返し部を挟み込む状態にして強制的にでも嵌め入れられるよう筒状に形成されており、連結覆い部は、下部が排水管路の末端開口部の外径に比し小さくされている内径で、上部開口部の内径は排水管路の末端開口部の外径に比し大きくされている内径として、上部開口部に至るに伴い次第に内径が拡開されるテーパー状を呈している請求項３に記載の廃水用放射性物質の捕集除去具。
【請求項５】
支持台は、所定高さを有する枠部によって所定高さに設定されている上部の中央に、カバー連結体の連結覆い部の下部を嵌め入れ支持する支持部を形成してある請求項３または４に記載の廃水用放射性物質の捕集除去具。
【請求項６】
排水管路の開口部を内側に位置させて、開口部を覆うようにラッパ状に開放されている覆い部と、この覆い部の基部に設けられている筒状の連結部とから成っていて、上流側の排水管路の下端開口部あるいは下流側の排水管路の上端開口部それぞれに配置される上下の装着連結管体を形成し、これらの上下の装着連結管体それぞれの連結部に嵌め入れられることで上下の装着連結管体相互間で架け渡される連結カバー体によって、連結部、連結カバー体相互の嵌め合わせ部分で、捕集ネット体の開口部を折返し状にして挟み込ませ、捕集ネット体を連結カバー体によって覆うようにして連結装着して成ることを特徴とする廃水用放射性物質の捕集除去具。
【請求項７】
覆い部の内側面には、外径が異なる排水管路の開口部における異種の外径それぞれに対応するよう、その外径に対応した内周側面における内径部位に内周側面周囲に沿う複数本の突条の支持突部を段状に配置形成してある請求項６に記載の廃水用放射性物質の捕集除去具。
【請求項８】
排水管路の外径に対応する内径を有している複数段の装着段部と、この装着段部の基部に筒状に設けられている連結部とから成っていて、上流側の排水管路の下端開口部あるいは下流側の排水管路の上端開口部それぞれに配置される上下の段状連結管体を形成し、これらの上下の段状連結管体それぞれの連結部に嵌め入れられることで上下の段状連結管体相互間で架け渡される連結カバー体によって、連結部、連結カバー体相互の嵌め合わせ部分で、捕集ネット体の開口部を折返し状にして挟み込ませ、捕集ネット体を連結カバー体によって覆うようにして連結装着して成ることを特徴とする廃水用放射性物質の捕集除去具。
【考案の詳細な説明】
【技術分野】
【０００１】
この考案は、例えば一般家屋における屋根、雨樋等に付着堆積しているセシウム粒子等の放射性物質を洗浄機器等にて除去、洗浄したときの洗浄廃水中に含まれていたり、また自然雨水中に含まれていたりして、これらが雨樋、排水管等の排水管路を落水、流下するとき、その排水管路中で放射性物質等を捕集、除去し、そのまま排水させることで安全に処理できるようにするのであり、公共的な下水道等に放射性物質を排出させずに済む廃水用放射性物質の捕集除去具に関する。
【背景技術】
【０００２】
２０１１年３月１１日に発生した東北地方太平洋沖地震（東日本大震災）によって、東北地方特にその太平洋岸においては津波が襲来し、これによって各地に甚大な被害がもたらされ、またその影響による機器の作動不能によって福島第１原子力発電所、同第２原子力発電所では原子炉に対する冷却処理を適切に遂行できない事態が生じた。そのために、原子炉建屋が爆発その他によって崩壊し、原子炉からの放射性物質が周囲に飛散する結果となった。この飛散した放射性物質は近隣県を含め各地で降灰し、例えば住宅街においては下水が集水される側溝等に堆積され、これを除去することが放射能汚染問題として早急に解決されなければならない緊急課題となっているのが現状である。
【０００３】
また、例えば一般家屋における屋根、雨樋等には自然に落下・降灰する放射性物質が付着堆積していることが十分に考えられ、これらを除去する必要がある。そのために高圧洗浄機器等で屋根、雨樋等を洗浄し、除去しても、これらの場所から流下する放射性物質を含んだ汚染された洗浄廃水が雨樋を経てそのまま公共下水道にいわゆる垂れ流されるとすれば、下流側の集水池等に堆積されるから、そこでの除去が必要となって根本的な解決にはならない。
【０００４】
こうした点を含め、従来、例えば特許文献１に示される流下雨水の異物除去構造及び流下雨水の分流管構造、特許文献２に示される雨水分離集水装置が提案されている。特許文献１の異物除去構造は、雨樋における縦樋の途中で、上側パイプ、下側パイプを連結する上下動可能な連結パイプを上側パイプの下端には遊嵌、下側パイプには遊挿して配置し、連結パイプ下部にフィルタを取外し可能に挿入して成る。特許文献２の分離集水装置は縦樋に通じる集水器を、フィルタ部を有する内筒を外筒にて覆い、内筒、外筒の間に形成した集水空間によって微細な粒子を分離し、縦樋によって排水するとして成る。
【先行技術文献】
【特許文献】
【０００５】
【特許文献１】特開平９−７８６３９号公報
【特許文献２】特開２００６−１０４８５１号公報
【考案の概要】
【考案が解決しようとする課題】
【０００６】
しかしながら、上述したような従来の異物除去構造、分離集水装置は、雨水中の微粒子を捕集し、除去できても、それを捕集したフィルタは交換するものとしてあるから、これらのフィルタが放射性物質によって汚染されている場合は、その交換作業は十分な防護服、防護マスク等を装用しなければ危険でもある。また、フィルタを交換できても、フィルタ支持材・部材等が汚染されていることには変わりはなく、これらの交換、除去も必要であるが、上述した従来のものではこれに対しては全く考慮されていない。
【０００７】
そこでこの考案は上述したような従来存した諸事情に鑑み案出されたもので、その目的は、主として一般家屋における屋根、雨樋等における放射性物質を洗浄、除去したときの洗浄廃水中、また自然雨水中に含まれる放射性物質等を捕集、除去すべく、雨樋にあるいは公共下水道等に直接に接続される下水管にセットされるもので、例えば高圧洗浄機器によって洗浄、除去するときにその排水管路中に一時的にでもセットしておいて、除去時に流下する洗浄廃水中の放射性物質を捕集でき、洗浄作業の終了後では取り外してそのまま除去・廃棄するものとし、取り外し後では雨樋等を補修することで従来同様な雨水処理を可能とさせる廃水用放射性物質の捕集除去具を提供することにある。
【課題を解決するための手段】
【０００８】
上述した課題を解決するため、この考案にあっては、後述する考案を実施するための形態における使用符号を付記して説明すると、自然雨水・洗浄廃水を排水案内させる排水管路（Ｐ，Ｑ）の任意箇所で、自然雨水・洗浄廃水を通水させる袋状の捕集ネット体１０を、この捕集ネット体１０の開口部を挟み込んで排水管路（Ｐ，Ｑ）の開口部に嵌め入れられる内嵌部２と、この内嵌部２に比し大径に形成されて、段部３を介して内嵌部２と一体となっている規制部４とから成っている装着管体１によって排水管路（Ｐ，Ｑ）に配置し、捕集ネット体１０によって自然雨水・洗浄廃水中のセシウム等の放射性物質を捕集するようにしてあることを特徴とする。
捕集ネット体１０は、カバー体１５によって覆われていて、カバー体１５は、上部開口部には上流側の排水管路（Ｐ，Ｑ）の下端開口部に、下部開口部には下流側の排水管路（Ｐ，Ｑ）の上端開口部にそれぞれ連結させる上下部の連結手段１６，１７を有し、上部連結手段１６は、上流側の排水管路（Ｐ，Ｑ）の下端開口部の外側面に、この下端開口部における上下方向でスライドして当接する内側面を有する筒状に形成されており、下部連結手段１７は、下流側の排水管路（Ｐ，Ｑ）の上端開口部の内側面に外側面が当接して嵌り込むようにした筒状に形成されていることで構成することができる。
自然雨水・洗浄廃水を排水案内させるよう鉛直方向に沿っている排水管路（Ｐ，Ｑ）の末端開口部で袋状の捕集ネット体１０を支持する廃水用放射性物質の捕集除去具であって、捕集ネット体１０を着脱自在に連結する連結部２１を下部に有し、排水管路（Ｐ，Ｑ）の末部の開口部を下方から覆うように、開口部に至るに伴い次第に大径となるラッパ状の連結覆い部２２を上部に有するカバー連結体２０と、このカバー連結体２０を設置面上に立脚支持させる支持台２５とから成ることを特徴とする。
カバー連結体２０の連結部２１は、内装した捕集ネット体１０の開口部の折り返し部１１を支持することで捕集ネット体１０を支持している前記装着管体１の内嵌部２を、捕集ネット体１０の折り返し部１１を挟み込む状態にして強制的にでも嵌め入れられるよう筒状に形成されており、連結覆い部２２は、下部が排水管路（Ｐ，Ｑ）の末端開口部の外径に比し小さくされている内径で、上部開口部の内径は排水管路（Ｐ，Ｑ）の末端開口部の外径に比し大きくされている内径として、上部開口部に至るに伴い次第に内径が拡開されるテーパー状を呈していることで構成することができる。
支持台２５は、所定高さを有する枠部２６によって所定高さに設定されている上部の中央に、カバー連結体２０の連結覆い部２２の下部を嵌め入れ支持する支持部２７を形成して構成することができる。
排水管路（Ｐ，Ｑ）の開口部を内側に位置させて、開口部を覆うようにラッパ状に開放されている覆い部３１と、この覆い部３１の基部に設けられている筒状の連結部３２とから成っていて、上流側の排水管路（Ｐ，Ｑ）の下端開口部あるいは下流側の排水管路（Ｐ，Ｑ）の上端開口部それぞれに配置される上下の装着連結管体３０を形成し、これらの上下の装着連結管体３０それぞれの連結部３２に嵌め入れられることで上下の装着連結管体３０相互間で架け渡される連結カバー体３５によって、連結部３２、連結カバー体３５相互の嵌め合わせ部分で、捕集ネット体１０の開口部を折返し状にして挟み込ませ、捕集ネット体１０を連結カバー体３５によって覆うようにして連結装着して成ることを特徴とする。
覆い部３１の内側面には、外径が異なる排水管路（Ｐ，Ｑ）の開口部における異種の外径それぞれに対応するよう、その外径に対応した内周側面における内径部位に内周側面周囲に沿う複数本の突条の支持突部３３を段状に配置形成して構成することができる。
排水管路（Ｐ，Ｑ）の外径に対応する内径を有している複数段の装着段部４１と、この装着段部４１の基部に筒状に設けられている連結部４２とから成っていて、上流側の排水管路（Ｐ，Ｑ）の下端開口部あるいは下流側の排水管路（Ｐ，Ｑ）の上端開口部それぞれに配置される上下の段状連結管体４０を形成し、これらの上下の段状連結管体４０それぞれの連結部４２に嵌め入れられることで上下の段状連結管体４０相互間で架け渡される連結カバー体４５によって、連結部４２、連結カバー体４５相互の嵌め合わせ部分で、捕集ネット体１０の開口部を折返し状にして挟み込ませ、捕集ネット体１０を連結カバー体４５によって覆うようにして連結装着して成ることを特徴とする。
【０００９】
以上のように構成されたこの考案に係る廃水用放射性物質の捕集除去具にあって、例えば一般家屋の屋根等において高圧洗浄機器等で洗浄した後の洗浄廃水中あるいは自然雨水中に含まれる放射性物質は、これを落下、流下させる雨樋Ｐあるいは下水管Ｑに配置の袋状の捕集ネット体１０によって捕集される。そして、捕集後の濾過された洗浄廃水はそのままで下水等に排水でき、また、洗浄作業終了後で雨樋Ｐあるいは下水管Ｑから取り外される捕集ネット体１０をそのまま所定方法で廃棄・保管することで、放射性物質による汚染を防止させる。
装着管体１は、捕集ネット体１０を内装状態として支持するに際し、捕集ネット体１０の開口部を折り返させた折り返し部１１で内嵌部２に宛がわせ、この内嵌部２を排水管路（Ｐ，Ｑ）の開口部内に嵌め入れさせることで、折り返し部１１を排水管路（Ｐ，Ｑ）内で折り返し部１１共に挟み込ませ、捕集ネット体１０を連結状態で確実に支持させる。
カバー体１５は、捕集ネット体１０を内装させた状態で上部連結手段１６によって上流側の排水管路（Ｐ，Ｑ）の下端開口部に下方からスライドさせることで、また上方へのスライド後で下部連結手段１７を下流側の排水管路（Ｐ，Ｑ）の上端開口部に落とし込むように嵌め込ませることで、雨樋Ｐの途中に配置した捕集ネット体１０を外部から保護させる。
カバー連結体２０は、ラッパ状の連結覆い部２２によって排水管路（Ｐ，Ｑ）の開口部を覆った状態で排水管路（Ｐ，Ｑ）に装着させ、排水管路（Ｐ，Ｑ）が、その開口部径に大小がある異径の場合であってもこれに連結装着させる。また支持台２５がカバー連結体２０を支持することで、鉛直方向に沿って配される排水管路（Ｐ，Ｑ）の下端開口部に捕集ネット体１０を支持させ、排水管路（Ｐ，Ｑ）の末端部において放射性物質等を捕捉・捕集させる。
装着連結管体３０は、ラッパ状の覆い部３１によって排水管路（Ｐ，Ｑ）の開口部を覆った状態で上流側の排水管路（Ｐ，Ｑ）の下端開口部、下流側の排水管路（Ｐ，Ｑ）の上端開口部それぞれに装着させ、また連結部３２によって捕集ネット体１０をその折り返し部１１を挟み込ませることで連結カバー体３５に内装状態にして支持させる。連結カバー体３５による内装状態の支持は、捕集ネット体１０を外部から保護し、捕捉・捕集した放射性物質等を外部に飛散させない。
また、この装着連結管体３０の内周側面に形成した支持突部３３は、覆い部３１がラッパ状であることで大小、異径の排水管路（Ｐ，Ｑ）の開口部をそれぞれで確実に支持させ、排水管路（Ｐ，Ｑ）の途中でも、末端開口部でも廃水を周囲に飛散させず、捕集ネット体１０内に円滑、確実に案内させる。
装着段部４１、連結部４２を備えた段状連結管体４０は、種々に大小が異なることがある各種の排水管路（Ｐ，Ｑ）の開口部それぞれに確実に嵌め合わせて連結させ、連結カバー体４５に内装状態で配置されている捕集ネット体１０内に自然雨水、洗浄廃水等を案内させ、放射性物質等を捕集ネット体１０によって捕捉・捕集させる。
【考案の効果】
【００１０】
この考案は以上説明したように構成されているため、主として一般家屋における屋根、雨樋等における放射性物質を洗浄、除去したときの洗浄廃水中、また自然雨水中に含まれる放射性物質等を排水管路（Ｐ，Ｑ）中で捕集でき、例えば雨樋Ｐの途中の任位置で雨樋Ｐを部分的に切断除去し、その除去部分に置き換えるようにして一時的に接続することで、あるいは下水管Ｑの末部に連結配置することで、例えば高圧洗浄機器の使用による洗浄、除去作業中に流下する洗浄廃水中の放射性物質を確実に捕集できる。また、洗浄作業の終了後では取り外し、そのまま所定方法で除去・廃棄することで安全に処理可能にし、放射性物質を含む洗浄廃水の下水への廃棄、更には周囲環境への飛散を阻止できる。しかも、洗浄、使用の終了後で取り外した後では雨樋Ｐを補修することで、あるいは下水管Ｑをそのままで従来同様な雨水処理を可能とさせる。
【００１１】
すなわち、これはこの考案において、セシウム等の放射性物質を捕集する袋状の捕集ネット体１０を、排水管路（Ｐ，Ｑ）の途中、末端開口部等に装着管体１、カバー連結体２０、装着連結管体３０、段状連結管体４０等によって取り付けて支持装着したからであり、これによって、自然雨水、洗浄廃水中の放射性物質等を捕集ネット体１０で捕捉、捕集できる。
【００１２】
また、装着管体１には、捕集ネット体１０の開口部を挟み込んで排水管路（Ｐ，Ｑ）の開口部に嵌め入れられる内嵌部２を形成してあるから、装着管体１に内装状態の補集ネット体１０を内嵌部２によって宛がわせ、排水管路（Ｐ，Ｑ）の開口部に嵌め入れることで折り返し部１１をきっちりと挟み込ませることができ、捕集ネット体１０を確実に支持でき、例えば流下される水勢によっても補集ネット体１０を簡単に離脱させない。
【００１３】
カバー連結体２０の連結覆い部２２、装着連結管体３０の覆い部３１は、開口部に至るに伴い次第に拡開されたテーパ状になっているから、大小、異径の排水管路（Ｐ，Ｑ）であってもこれらの開口部を覆うようにして確実に装着でき、流下される雨水、廃水を袋状の捕集ネット体１０内に円滑、確実に案内させ、捕集ネット体１０によって放射性物質等を捕集、捕捉することができる。
【００１４】
装着連結管体３０における覆い部３１の内周側面には、排水管路（Ｐ，Ｑ）の開口部の外径に対応する複数本の突条の支持突部３３を段状に配置形成してあるから、大小、異径である各種の排水管路（Ｐ，Ｑ）の開口部に位置合わせして確実に連結装着でき、雨水、廃水を捕集ネット体１０内に円滑に案内させることができる。
【００１５】
複数段の装着段部４１と連結部４２とを備えた段状連結管体４０は、装着段部４１の内径が排水管路（Ｐ，Ｑ）の外径に対応しているから、大小、異径の排水管路（Ｐ，Ｑ）それぞれと確実に装着連結できる。
【００１６】
また、装着連結管体３０における連結部３２、段状連結管体４０における連結部４２が排水管路（Ｐ，Ｑ）の上流側、下流側に位置する下端開口部、上端開口部それぞれに嵌め入れられることで、上下の排水管路（Ｐ，Ｑ）相互間に架け渡される連結カバー体，３５４５によって捕集ネット体１０を覆うように支持してあるから、捕集ネット体１０を外部から保護でき、捕捉・捕集した放射性物質等を外部に飛散させることがない。
【００１７】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１８】
【図１】この考案を実施するための一形態を示す分解斜視図である。
【図２】同じく雨樋の途中に装着される場合の断面図である。
【図３】同じく雨樋の末端部に装着される場合の断面図である。
【図４】同じく雨樋の末端部に装着される場合の他例における断面図である。
【図５】同じく下水管の末端部に装着される場合の断面図である。
【図６】同じく他の実施の形態において、雨樋の途中に装着される場合の断面図である。
【図７】同じく他の実施の形態における要部断面図である。
【考案を実施するための形態】
【００１９】
以下、図面を参照してこの考案を実施するための一形態を説明すると、図において示される符号１は所定径の雨樋Ｐ、下水管Ｑ等の排水管における下流側の開口部に装着される装着管体であり、この装着管体１は後述する捕集ネット体１０の開口部を挟み込んで排水管路（Ｐ，Ｑ）の開口部に嵌め入れられる内嵌部２と、この内嵌部２に比し大径に形成されて、段部３を介して内嵌部２と一体となっている規制部４とから成っている。尚、装着管体１自体は、雨樋Ｐあるいは下水管Ｑのいずれにも装着、連結可能なので、排水管路として雨樋Ｐあるいは下水管Ｑのいずれかを対象とすることで以下は説明される。
【００２０】
装着管体１自体は、例えば段差がある異径管状を呈し、内嵌部２は、その外径が雨樋Ｐ等の下流側の開口部の内径とほぼ同一に形成されており、捕集ネット体１０を雨樋Ｐ等の内側面と内嵌部２の外側面との間に挟み込んだ状態で雨樋Ｐ等に強制的に嵌め入れることで、装着管体１を雨樋Ｐ等に連結できるようにしてある。
【００２１】
また、装着管体１の規制部４は、この規制部４の外径を例えば雨樋Ｐ等の外径とほぼ同一に形成してあって、すなわち段部３における段差幅員を雨樋Ｐ等の肉厚とほぼ同一に形成することで、雨樋Ｐ等に装着管体１を連結したとき雨樋Ｐ等と装着管体１との外側面が面一状となるようにしてある。もとより、この規制部４の外径は、雨樋Ｐ等の外径に比し大径であっても良く、大径とすることで例えば大口径の捕集ネット体１０を挟み込み支持することができる。
【００２２】
捕集ネット体１０は、例えば自然雨水あるいは洗浄後の洗浄廃水中に含まれる放射性物質等を捕捉するに足る網目大きさを有して袋状に形成されており、捕集のための網目大きさは、セシウムが塵埃等と一体化したことでその粒径が１０〜２０マイクロメートル（μｍ）であることを考慮して、５マイクロメートル程度のものとしてある。
【００２３】
この捕集ネット体１０は、装着管体１自体の開口部側を図示のように装着管体１の内側に規制部４の開口部から挿入した後に内嵌部２の開口部にて外方に折返し、その折り返し部１１を少なくとも内嵌部２の外側面に当接させた状態として、装着管体１にセットされる。このようにしてセットされた状態で折り返し部１１を、雨樋Ｐ等の内側面と内嵌部２の外側面との間に挟み込ませることで装着管体１を雨樋Ｐ等に連結し、連結した後では補集ネット体１０が装着管体１内で垂れ下がり状になるようにしてある。
【００２４】
また、必要であれば捕集ネット体１０内に放射性物質等を捕集・補足する捕集体（図示せず）を濾材として内蔵させておくこともでき、例えば繊維状のポリプロピレン（ＰＰ）、ガラス繊維フィルター、メンブレンフイルターその他を素材としており、この捕集体自体は、放射性物質を捕集できるものであれば良く、詰め込み、充填等によって封入されている。
【００２５】
図中符号１５は、捕集ネット体１０の外側を覆う筒状のカバー体であり、このカバー体１５は、装着管体１、捕集ネット体１０が例えば雨樋Ｐにおける縦樋部分の途中に連結装着されたときに、その装着部位を覆い、捕集ネット体１０から滲出・排水される清浄後の濾過水等を周囲に飛散させることなく、下流側の雨樋Ｐ部分に流下、排水させるようにしている。
【００２６】
そのため、図示例にあってのカバー体１５は、内部の捕集ネット体１０を例えば外部から外観透視できるように透明性素材にて形成されていて、上部開口部には上流側の雨樋Ｐの下端開口部に、下部開口部には下流側の雨樋Ｐの上端開口部にそれぞれ連結させる上下部の連結手段１６，１７を有している。上部連結手段１６は、例えば上流側の雨樋Ｐの下端開口部の外側面に、この下端開口部における上下方向でスライドして当接する内側面を有する筒状に形成されており、下部連結手段１７は、下流側の雨樋Ｐの上端開口部の内側面に外側面が当接して嵌り込むようにした例えば窄まり状にした筒状に形成されていて、上流側の雨樋Ｐの下端開口部と下流側の雨樋Ｐの上端開口部との高さ間隔に比し大きい高さ（長さ）を備えて成る。そして、例えば装着管体１、捕集ネット体１０を上流側の雨樋Ｐの下端開口部に嵌め合わせて連結するのに伴い、捕集ネット体１０を内部に位置決めさせて上部連結手段１６を上流側の雨樋Ｐの外側に宛がいながら上方にスライドした後、下部連結手段１７を下流側の雨樋Ｐの上端開口部内に落とし込むように嵌め合わせることで、カバー体１５によって捕集ネット体１０を覆った状態で上下流部位の雨樋Ｐ相互間に掛け渡し状に装着配置できるようにしている。
【００２７】
次にこれの使用の一例を説明すると、例えば放射性物質等で汚染されていると思われる家屋における屋根、雨樋Ｐ等を高圧洗浄機器等で洗浄し、除去するに際し、捕集ネット体１０を装着管体１に連結しておくと共に、カバー体１５にて覆っておく。そして、図２に示すように雨樋Ｐの縦樋部分の適当な箇所で、その部位の雨樋Ｐ部分をカバー体１５の長さに対応して切断除去し、切断除去した部位における上流側の雨樋Ｐの下端開口部に、捕集ネット体１０の折り返し部１１を挟み込みながら装着管体１の内嵌部２を強制的にでも嵌め入れる。次いで、捕集ネット体１０を内部に位置決めさせたカバー体１５の上部連結手段１６を上流側の雨樋Ｐの下端開口部に一旦は上方にスライドしながら嵌め合わせ、下部連結手段１７を下流側の雨樋Ｐの上端開口部内に落とし込み状に嵌め入れるのである。その後は、洗浄作業中に落下、流下する洗浄廃水は雨樋Ｐ中の捕集ネット体１０を経ることで、洗浄廃水中に含まれている放射性物質等は捕集ネット体１０によって捕集され、濾過水として排水される。屋根、雨樋Ｐ等に対する洗浄作業の終了後では、雨樋Ｐから装着管体１を取り外し、更に放射性物質等を捕集し、貯留している捕集ネット体１０を装着管体１から抜き出すのであり、抜き出し後の補集ネット体１０は、放射性物質等の廃棄基準に応じて保管、廃棄されれば良い。一方、装着管体１を取り外し後の雨樋Ｐの切断部位では通常使用に対応するように新たな雨樋Ｐ部品を接続し、補修する。
【００２８】
また、捕集ネット体１０は雨樋Ｐ部分に常時取り付けておき、その雨樋Ｐを落下、流水する自然雨水中に含まれる放射性物質等を捕集するようにしても良く、適宜な期間を経て交換設置することで、公共的な下水道への放射性物質等の排出を防止できる。
【００２９】
図３においては、例えば雨樋Ｐの縦樋部分の末端開口部に、捕集ネット体１０を装着管体１を介して取り付けた例であり、このように雨樋Ｐの縦樋部分の末部に装着することで、極めてシンプルな構成で放射性物質等を補促、捕集できる。
【００３０】
図４においては、鉛直方向に沿って配置されている例えば雨樋Ｐの縦樋部分の末端開口部に、簡単な取り付け、取り外し等で配置できるようにしたもので、捕集ネット体１０を着脱自在に連結する連結部２１を下部に有し、雨樋Ｐの縦樋部分の開口部を下方から覆うように、開口部に至るに伴い次第に大径となるラッパ状の連結覆い部２２を上部に有するカバー連結体２０と、このカバー連結体２０を設置面上に立脚支持させる支持台２５とから成る。
【００３１】
すなわち、カバー連結体２０は、上方開放状態にして支持台２５によって支持されることで雨樋Ｐの末端開口部に宛がわれるもので、下部の連結部２１は、捕集ネット体１０を内装状態にして支持している前記の装着管体１の内嵌部２が捕集ネット体１０の折り返し部１１を挟み込む状態にして強制的にでも嵌め入れられるよう筒状に形成されており、連結覆い部２２は、下部が雨樋Ｐの末端開口部の外径に比し小さくされている内径で、上部開口部の内径は雨樋Ｐの末端開口部の外径に比し大きくされている内径として、上部開口部に至るに伴い次第に内径が拡開されるテーパー状を呈している。
【００３２】
支持台２５は、図示例にあっては雨樋Ｐの末端開口部が向かい合う例えば地面等に載置されるよう、例えば所定径の細棒状材によって枠組み形成されており、所定高さを有する枠部２６によって所定高さに設定されている上部の中央に、カバー連結体２０の連結覆い部２２の下部を嵌め入れ支持する例えばリング状の支持部２７を形成して成る。
【００３３】
これの使用は、図４に示すように、雨樋Ｐの縦樋部分における下端の開口部に、支持台２５によって上方開放状態で支持したカバー連結体２０を、その連結覆い部２２によって宛がって配置するのであり、カバー連結体２０の連結部２１に配した捕集ネット体１０によって放射性物質を捕捉・捕集するようにしている。また、カバー連結体２０の連結覆い部２２はラッパ状に形成されていることで雨樋Ｐの下端の開口部から、この開口部に大小があって異径であっても、雨樋Ｐから排水される雨水、廃棄汚水、廃棄洗浄水等を確実に収束し、捕集ネット体１０に案内させることができる。
【００３４】
図５においては、例えば雨樋Ｐに接続される集水桝（図示せず）を経て、またオーバーフローを生じないように排水量をある程度で制限するよう下水管Ｑの流入口を小径にすることで、公共下水道、例えばその落蓋式Ｕ字溝等の下水溝Ｕ等に接続される下水管Ｑの末部の開口端部分に配置される場合の実施の形態を示している。すなわち、この下水管Ｑの末部開口端に嵌め入れられる内嵌部２、この内嵌部２に比し大径で段部３を介して内嵌部２と一体状に形成された規制部４から成る装着管体１によって捕集ネット体１０の折り返し部１１を、内嵌部２と下水管Ｑの末部開口端との間に挟み込み状態にして装着配置する。そして、下水管Ｑにて排水される廃棄洗浄水、雨水中等の放射性物質を捕捉・捕集するのであり、濾過された廃水として下水処理されるようにしている。
【００３５】
図６においては、例えば雨樋Ｐの縦樋部分に装着される場合の他の実施の形態が示されている。すなわち、雨樋Ｐの開口部を内側に位置させて、開口部を覆うようにラッパ状に開放されている覆い部３１と、この覆い部３１の基部に設けられている筒状の連結部３２とから成っていて、上流側の雨樋Ｐの下端開口部あるいは下流側の雨樋Ｐの上端開口部それぞれに配置される上下の装着連結管体３０を形成し、これらの上下の装着連結管体３０それぞれの連結部３２に嵌め入れられることで上下の装着連結管体３０相互間で架け渡される連結カバー体３５によって、連結部３２、連結カバ
ー体３５相互の嵌め合わせ部分で、捕集ネット体１０の開口部を折返し状にして挟み込ませ、捕集ネット体１０を連結カバー体３５によって覆うようにして連結装着して成る。
【００３６】
上下の装着連結管体３０は、図示のように上下で対称的に形成されており、いずれを上流側の雨樋Ｐの下端開口部に、あるいは下流側の雨樋Ｐの上端開口部に装着されるも差し障りがないように同一形状のものとして構成されている。
【００３７】
装着連結管体３０の覆い部３１は、装着連結される例えば雨樋Ｐの外径が異なることがあってもそのいずれにも対応できるように上方あるいは下方である開口部に至るに伴い次第に拡開されるラッパ状に形成されている。また、図示のように、この覆い部３１の内側面に、例えば外径が異なる雨樋Ｐの開口部における異種の外径それぞれに対応するよう、その外径に対応した内周側面における内径部位に内周側面周囲に沿う複数本の突条の支持突部３３を段状に配置形成しておくことで、開口部径が異なる種々の雨樋Ｐそれぞれに確実に装着連結できる。
【００３８】
連結部３２の外径は、連結カバー体３５の内径にほぼ対応し、連結カバー体３５の開口部に捕集ネット体１０の折り返し部１１を挟み込んだ状態で、連結部３２が連結カバー体３５の開口部内に嵌り込むようにしてある。
【００３９】
尚、連結カバー体３５は、これの外径が雨樋Ｐの外径とほぼ対応しているものとして図示されているが、これに限定されず、また、捕集ネット体１０は連結カバー体３５の下流側の開口部から挿入されて上流側の開口部にて折り返し部１１を形成することで折り返され、上流側の雨樋Ｐに装着される上流側の装着連結管体３０の連結部３２に着脱自在に嵌め入れられる。捕集ネット体１０によって放射性物質が捕捉・捕集されれば、適宜に交換されるものとなっている。
【００４０】
図７に示される実施の形態では、外径が異なる種々の雨樋Ｐそれぞれに対応するよう、雨樋Ｐの外径に対応する内径を有している複数段の装着段部４１と、この装着段部４１の基部に筒状に設けられている連結部４２とから成っていて、上流側の雨樋Ｐの下端開口部あるいは下流側の雨樋Ｐの上端開口部それぞれに配置される上下の段状連結管体４０を形成し、これらの上下の段状連結管体４０それぞれの連結部４２に嵌め入れられることで上下の段状連結管体４０相互間で架け渡される連結カバー体４５によって、連結部４２、連結カバー体４５相互の嵌め合わせ部分で、捕集ネット体１０の開口部を折返し状にして挟み込ませ、捕集ネット体１０を連結カバー体４５によって覆うようにして連結装着して成る。
【００４１】
この実施の形態における段状連結管体４０の連結部４２は、その外径が連結カバー体４５の内径にほぼ対応し、連結カバー体４５の開口部に捕集ネット体１０の折り返し部１１を挟み込んだ状態で、連結部４２が連結カバー体４５の開口部内に嵌り込むようにしてある。
【００４２】
こうすることで、連結カバー体４５の開口部の内径が連結部４２の外径、更には装着段部４１それぞれにおける外径にほぼ対応している異種径の連結カバー体４５であっても、捕集ネット体１０を保持した状態で上下の段状連結管体４０相互間で架け渡し状に連結でき、例えば廃水量に対応した大きさの段状連結管体４０、連結カバー体４５とすることで廃水容量の大小に応じた捕捉、捕集を可能にすることができる。
【符号の説明】
【００４３】
Ｐ…雨樋                                Ｑ…下水管
Ｕ…下水溝
１…装着管体                            ２…内嵌部
３…段部                                ４…規制部
１０…捕集ネット体                      １１…折り返し部
１５…カバー体                          １６…上部連結手段
１７…下部連結手段
２０…カバー連結体                      ２１…連結部
２２…連結覆い部                        ２５…支持台
２６…枠部                              ２７…支持部
３０…連結装着管体                      ３１…覆い部
３２…連結部                            ３３…支持突部
３５…連結カバー体
４０…段状連結管体                      ４１…装着段部
４２…連結部                            ４５…連結カバー体
【図１】
0003177123.tif 000003
【図２】
0003177123.tif 000004
【図３】
0003177123.tif 000005
【図４】
0003177123.tif 000006
【図５】
0003177123.tif 000007
【図６】
0003177123.tif 000008
【図７】
0003177123.tif 000009